(57)【要約】【課題】情報処理端末と電話機端末との関連付けを動的に行えるようにする。【解決手段】ＩＤタグ１８−２を具備する電話機端末１２−２と、該電話機端末を制御するサーバ付き主装置１１及び１３と、該サーバ付き主装置との通信手段１４を有し、ＩＤリーダを具備する情報処理端末１６−１とを、備え、前記情報処理端末と前記電話機端末とを近接させ、前記ＩＤリーダと前記ＩＤタグとを近接させることにより、前記情報処理端末のＩＤリーダは、非接触で前記電話機端末のＩＤタグのＩＤ情報を読み取り、前記情報処理端末は、前記通信手段により、前記ＩＤリーダが読み取ったＩＤ情報を、前記サーバ付き主装置に通知し、前記サーバ付き主装置は、前記ＩＤ情報により、前記情報処理端末と前記電話機端末を関連付け、前記サーバ付き主装置は、前記情報処理端末の要求により、関連付けられた電話機端末の呼制御を行うことを特徴とするＣＴＩシステム。【選択図】図１
2005268954.tif 000002
【特許請求の範囲】
【請求項１】
ＩＤタグを具備する電話機端末と、該電話機端末を制御するサーバ付き主装置と、該サーバ付き主装置との通信手段を有し、ＩＤリーダを具備する情報処理端末とを、備え、
前記情報処理端末と前記電話機端末とを近接させ、前記ＩＤリーダと前記ＩＤタグとを近接させることにより、前記情報処理端末のＩＤリーダは、非接触で前記電話機端末のＩＤタグのＩＤ情報を読み取り、
前記情報処理端末は、前記通信手段により、前記ＩＤリーダが読み取ったＩＤ情報を、前記サーバ付き主装置に通知し、
前記サーバ付き主装置は、前記ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【請求項２】
請求項１に記載のＣＴＩシステムにおいて、
前記ＩＤタグは、ＲＦＩＤタグであり、
前記ＩＤリーダは、ＲＦＩＤタグのＲＦＩＤ情報を読み取るものであることを特徴とするＣＴＩシステム。
【請求項３】
請求項１に記載のＣＴＩシステムにおいて、
前記ＩＤタグは、バーコードＩＤタグであり、
前記ＩＤリーダは、バーコードＩＤタグのバーコードＩＤ情報を読み取るものであることを特徴とするＣＴＩシステム。
【請求項４】
請求項１に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【請求項５】
請求項１に記載のＣＴＩシステムにおいて、
前記サーバ付き主装置は、予め定められた時間経過時に前記情報処理端末に対し、関連付け解除の許可を求め、前記情報処理端末からの許可通知により、関連付けを解除することを特徴とするＣＴＩシステム。
【請求項６】
請求項１に記載のＣＴＩシステムにおいて、
前記情報処理端末と前記電話機端末とを、再度、近接させることにより、前記サーバ付き主装置は、前記情報処理端末と前記電話機端末との関連付けを解除することを特徴とするＣＴＩシステム。
【請求項７】
請求項１に記載のＣＴＩシステムにおいて、
他の情報処理端末と前記電話機端末とを近接させることにより、前記サーバ付き主装置は、前記情報処理端末と前記電話機端末との関連付けを解除し、前記他の情報処理端末と前記電話機端末との関連付けを行うことを特徴とするＣＴＩシステム。
【請求項８】
ＲＦＩＤタグを具備する電話機端末と、該電話機端末を制御するサーバ付き主装置と、該サーバ付き主装置との通信手段を有し、ＲＦＩＤリーダを具備する情報処理端末とを、備え、
前記ＲＦＩＤリーダと前記ＲＦＩＤタグとを近接させることにより、前記情報処理端末のＲＦＩＤリーダは、非接触で前記電話機端末のＲＦＩＤタグのＲＦＩＤ情報を読み取り、
前記情報処理端末は、前記通信手段により、前記ＲＦＩＤリーダが読み取ったＦＲＩＤ情報を、前記サーバ付き主装置に通知し、
前記サーバ付き主装置は、前記ＲＦＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【請求項９】
請求項８に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【請求項１０】
光学的ＩＤタグを具備する電話機端末と、該電話機端末を制御するサーバ付き主装置と、該サーバ付き主装置との通信手段を有し、光学的ＩＤリーダを具備する情報処理端末とを、備え、
前記光学的ＩＤリーダと前記光学的ＩＤタグとを近接させることにより、前記情報処理端末の光学的ＩＤリーダは、非接触で前記電話機端末の光学的ＩＤタグの光学的ＩＤ情報を読み取り、
前記情報処理端末は、前記通信手段により、前記光学的ＩＤリーダが読み取った光学的ＩＤ情報を、前記サーバ付き主装置に通知し、
前記サーバ付き主装置は、前記光学的ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【請求項１１】
ＩＤリーダを具備する電話機端末と、該電話機端末を制御するサーバ付き主装置と、該サーバ付き主装置との通信手段を有し、ＩＤタグを具備する情報処理端末とを、備え、
前記電話機端末と前記情報処理端末とを近接させ、前記ＩＤリーダと前記ＩＤタグとを近接させることにより、前記電話機端末のＩＤリーダは、非接触で前記情報処理端末のＩＤタグのＩＤ情報を読み取り、
前記電話機端末は、前記ＩＤリーダが読み取ったＩＤ情報を、前記サーバ付き主装置に通知し、
前記サーバ付き主装置は、前記ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【請求項１２】
請求項１１に記載のＣＴＩシステムにおいて、
前記ＩＤタグは、ＲＦＩＤタグであり、
前記ＩＤリーダは、ＲＦＩＤタグのＲＦＩＤ情報を読み取るものであることを特徴とするＣＴＩシステム。
【請求項１３】
請求項１に記載のＣＴＩシステムにおいて、
前記ＩＤタグは、バーコードＩＤタグであり、
前記ＩＤリーダは、バーコードＩＤタグのバーコードＩＤ情報を読み取るものであることを特徴とするＣＴＩシステム。
【請求項１４】
請求項１１に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【請求項１５】
請求項１１に記載のＣＴＩシステムにおいて、
前記サーバ付き主装置は、予め定められた時間経過時に前記情報処理端末に対し、関連付け解除の許可を求め、前記情報処理端末からの許可通知により、関連付けを解除することを特徴とするＣＴＩシステム。
【請求項１６】
請求項１１に記載のＣＴＩシステムにおいて、
前記情報処理端末と前記電話機端末とを、再度、近接させることにより、前記サーバ付き主装置は、前記情報処理端末と前記電話機端末との関連付けを解除することを特徴とするＣＴＩシステム。
【請求項１７】
請求項１１に記載のＣＴＩシステムにおいて、
他の情報処理端末と前記電話機端末とを近接させることにより、前記サーバ付き主装置は、前記情報処理端末と前記電話機端末との関連付けを解除し、前記他の情報処理端末と前記電話機端末との関連付けを行うことを特徴とするＣＴＩシステム。
【請求項１８】
ＲＦＩＤリーダを具備する電話機端末と、該電話機端末を制御するサーバ付き主装置と、該サーバ付き主装置との通信手段を有し、ＲＦＩＤタグを具備する情報処理端末とを、備え、
前記電話機端末と前記情報処理端末とを近接させ、前記ＲＦＩＤリーダと前記ＲＦＩＤタグとを近接させることにより、前記電話機端末のＲＦＩＤリーダは、非接触で前記情報処理端末のＲＦＩＤタグのＲＦＩＤ情報を読み取り、
前記電話機端末は、前記ＲＦＩＤリーダが読み取ったＲＦＩＤ情報を、前記サーバ付き主装置に通知し、
前記サーバ付き主装置は、前記ＲＦＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【請求項１９】
請求項１８に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【請求項２０】
光学的ＩＤリーダを具備する電話機端末と、該電話機端末を制御するサーバ付き主装置と、該サーバ付き主装置との通信手段を有し、光学的ＩＤタグを具備する情報処理端末とを、備え、
前記電話機端末と前記情報処理端末とを近接させ、前記光学的ＩＤリーダと前記光学的ＩＤタグとを近接させることにより、前記電話機端末の光学的ＩＤリーダは、非接触で前記情報処理端末の光学的ＩＤタグの光学的ＩＤ情報を読み取り、
前記電話機端末は、前記光学的ＩＤリーダが読み取った光学的ＩＤ情報を、前記サーバ付き主装置に通知し、
前記サーバ付き主装置は、前記光学的ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【請求項２１】
請求項１又は請求項１１に記載のＣＴＩシステムにおいて、
前記情報処理端末は、前記関連付けられた電話機端末の表示器に、指定した情報を表示させることを特徴とするＣＴＩシステム。
【発明の詳細な説明】
【技術分野】
【０００１】
本発明は、ＣＴＩシステムに関するものである。
【背景技術】
【０００２】
特許文献１には、交換機と、該交換機に接続された電話機と、該電話機に接続されたパーソナルコンピュータとを有するＣＴＩ（Computer Telephony Integration）システムが開示されている。更に、その特許文献１には、ＣＴＩシステムでは、電話回線の発信者情報通知サービスを利用し、多機能電話機からパーソナルコンピュータ（ＰＣ）へ発信者番号を通知し、その番号をもとに発信者の住所や会社名など情報をＰＣ上に表示したり、電話機操作をＰＣ上から行えることも開示されている。
【０００３】
図８を参照すると、本発明が基としたＣＴＩシステムが示されている。このＣＴＩシステムは、電話回線（外線）１０に接続された主装置（交換機）１１と、この主装置１１に接続された第１及び第２の電話機端末（ＴＥＬ１及びＴＥＬ２）１２−１及び１２−２と、主装置１１に接続されたＣＴＩサーバ（コンピュータ）１３と、このＣＴＩサーバ１３に接続されたＬＡＮ(Local Area Network)１４と、このＬＡＮ１４に接続された第１及び第２の情報処理端末（クライアント１及び２）１５−１及び１５−２とを有する。この場合、図示の情報処理端末（クライアント１及び２）１５−１及び１５−２は、パーソナルコンピュータ（ＰＣ）である。
【０００４】
クライアント１５−１は、電話機端末１２−２よりも電話機端末１２−１の近傍に設置され、クライアント１５−２は、電話機端末１２−１よりも電話機端末１２−２の近傍に設置されている。主装置１１（或いは、ＣＴＩサーバ１３）内では、設定情報として、クライアント１５−１（のＩＤ(Identification)データ）と電話機端末１２−１（のＩＤデータ）との関連付け、及びクライアント１５−２（のＩＤデータ）と電話機端末１２−１（のＩＤデータ）との関連付けが、固定的に（静的に）なされている。
【０００５】
上述したように、図８のＣＴＩシステムでは、情報処理端末と電話機端末とが、固定的に（すなわち、静的に）、関連付けられている。この図８のＣＴＩシステムにおいて、たとえば、情報処理端末（クライアント１）１５−１が可搬可能なＰＤＡ(Personal Digital Assistant)であり、そのＰＤＡのＬＡＮ１４への無線接続を可能とするべく、ＷＡＰ(Wireless Application)ゲートウェイがＬＡＮ１４に接続されている場合を考える。
【０００６】
この場合、そのクライアント（ＰＤＡ）１５−１の所持者がそのクライアント（ＰＤＡ）１５−１を持って電話機端末１２−１から遠く離れて電話機端末１２−２の近傍に移動した場合でも、主装置１１は、クライアント（ＰＤＡ）１５−１の所持者への着信は電話機端末１２−１に送るので、クライアント（ＰＤＡ）１５−１の所持者はその着信に応答することができない。
【０００７】
また、クライアント（ＰＤＡ）１５−１をも電話機端末１２−２に関連付けるべく、情報処理端末と電話機端末との関連付けを変更する場合には、主装置１１（或いは、ＣＴＩサーバ１３）を直接操作するか、あるいは、情報処理端末としてのクライアント（ＰＤＡ）１５−１の操作により、主装置１１（或いは、ＣＴＩサーバ１３）の設定情報を変更していた。しかし、いずれの変更方法の場合も煩雑な操作を行う必要があった。
【０００８】
【特許文献１】特開２００２−７７３６３号公報
【発明の開示】
【発明が解決しようとする課題】
【０００９】
本発明の目的は、情報処理端末と電話機端末との関連付けを動的に行うことができるようにすることにある。
【００１０】
本発明のもう一つの目的は、情報処理端末を持ち歩き、その情報処理端末を外出先の電話機端末に関連付けを行うことができるようにすることにある。
【００１１】
本発明の更にもう一つの目的は、動的な関連付けにより、自分宛の電話を外出先の電話に転送することができるようにすることにある。
【００１２】
本発明の別の目的は、情報処理端末と電話機端末との関連付けを、簡単な操作にて行えるようにすることにある。
【課題を解決するための手段】
【００１３】
本発明によるＣＴＩシステムは、以下のとおりである。
【００１４】
（１）  ＩＤタグを具備する電話機端末と、該電話機端末を制御するサーバ付き主装置と、該サーバ付き主装置との通信手段を有し、ＩＤリーダを具備する情報処理端末とを、備え、
前記情報処理端末と前記電話機端末とを近接させ、前記ＩＤリーダと前記ＩＤタグとを近接させることにより、前記情報処理端末のＩＤリーダは、非接触で前記電話機端末のＩＤタグのＩＤ情報を読み取り、
前記情報処理端末は、前記通信手段により、前記ＩＤリーダが読み取ったＩＤ情報を、前記サーバ付き主装置に通知し、
前記サーバ付き主装置は、前記ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【００１５】
（２）  上記（１）に記載のＣＴＩシステムにおいて、
前記ＩＤタグは、ＲＦＩＤタグであり、
前記ＩＤリーダは、ＲＦＩＤタグのＲＦＩＤ情報を読み取るものであることを特徴とするＣＴＩシステム。
【００１６】
（３）  上記（１）に記載のＣＴＩシステムにおいて、
前記ＩＤタグは、バーコードＩＤタグであり、
前記ＩＤリーダは、バーコードＩＤタグのバーコードＩＤ情報を読み取るものであることを特徴とするＣＴＩシステム。
【００１７】
（４）  上記（１）に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【００１８】
（５）  上記（１）に記載のＣＴＩシステムにおいて、
前記サーバ付き主装置は、予め定められた時間経過時に前記情報処理端末に対し、関連付け解除の許可を求め、前記情報処理端末からの許可通知により、関連付けを解除することを特徴とするＣＴＩシステム。
【００１９】
（６）  上記（１）に記載のＣＴＩシステムにおいて、
前記情報処理端末と前記電話機端末とを、再度、近接させることにより、前記サーバ付き主装置は、前記情報処理端末と前記電話機端末との関連付けを解除することを特徴とするＣＴＩシステム。
【００２０】
（７）  上記（１）に記載のＣＴＩシステムにおいて、
他の情報処理端末と前記電話機端末とを近接させることにより、前記サーバ付き主装置は、前記情報処理端末と前記電話機端末との関連付けを解除し、前記他の情報処理端末と前記電話機端末との関連付けを行うことを特徴とするＣＴＩシステム。
【００２１】
（８）  ＲＦＩＤタグを具備する電話機端末と、該電話機端末を制御するサーバ付き主装置と、該サーバ付き主装置との通信手段を有し、ＲＦＩＤリーダを具備する情報処理端末とを、備え、
前記ＲＦＩＤリーダと前記ＲＦＩＤタグとを近接させることにより、前記情報処理端末のＲＦＩＤリーダは、非接触で前記電話機端末のＲＦＩＤタグのＲＦＩＤ情報を読み取り、
前記情報処理端末は、前記通信手段により、前記ＲＦＩＤリーダが読み取ったＦＲＩＤ情報を、前記サーバ付き主装置に通知し、
前記サーバ付き主装置は、前記ＲＦＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【００２２】
（９）  上記（８）に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【００２３】
（１０）  光学的ＩＤタグを具備する電話機端末と、該電話機端末を制御するサーバ付き主装置と、該サーバ付き主装置との通信手段を有し、光学的ＩＤリーダを具備する情報処理端末とを、備え、
前記光学的ＩＤリーダと前記光学的ＩＤタグとを近接させることにより、前記情報処理端末の光学的ＩＤリーダは、非接触で前記電話機端末の光学的ＩＤタグの光学的ＩＤ情報を読み取り、
前記情報処理端末は、前記通信手段により、前記光学的ＩＤリーダが読み取った光学的ＩＤ情報を、前記サーバ付き主装置に通知し、
前記サーバ付き主装置は、前記光学的ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【００２４】
（１１）  ＩＤリーダを具備する電話機端末と、該電話機端末を制御するサーバ付き主装置と、該サーバ付き主装置との通信手段を有し、ＩＤタグを具備する情報処理端末とを、備え、
前記電話機端末と前記情報処理端末とを近接させ、前記ＩＤリーダと前記ＩＤタグとを近接させることにより、前記電話機端末のＩＤリーダは、非接触で前記情報処理端末のＩＤタグのＩＤ情報を読み取り、
前記電話機端末は、前記ＩＤリーダが読み取ったＩＤ情報を、前記サーバ付き主装置に通知し、
前記サーバ付き主装置は、前記ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【００２５】
（１２）  上記（１１）に記載のＣＴＩシステムにおいて、
前記ＩＤタグは、ＲＦＩＤタグであり、
前記ＩＤリーダは、ＲＦＩＤタグのＲＦＩＤ情報を読み取るものであることを特徴とするＣＴＩシステム。
【００２６】
（１３）  上記（１１）に記載のＣＴＩシステムにおいて、
前記ＩＤタグは、バーコードＩＤタグであり、
前記ＩＤリーダは、バーコードＩＤタグのバーコードＩＤ情報を読み取るものであることを特徴とするＣＴＩシステム。
【００２７】
（１４）  上記（１１）に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【００２８】
（１５）  上記（１１）に記載のＣＴＩシステムにおいて、
前記サーバ付き主装置は、予め定められた時間経過時に前記情報処理端末に対し、関連付け解除の許可を求め、前記情報処理端末からの許可通知により、関連付けを解除することを特徴とするＣＴＩシステム。
【００２９】
（１６）  上記（１１）に記載のＣＴＩシステムにおいて、
前記情報処理端末と前記電話機端末とを、再度、近接させることにより、前記サーバ付き主装置は、前記情報処理端末と前記電話機端末との関連付けを解除することを特徴とするＣＴＩシステム。
【００３０】
（１７）  上記（１１）に記載のＣＴＩシステムにおいて、
他の情報処理端末と前記電話機端末とを近接させることにより、前記サーバ付き主装置は、前記情報処理端末と前記電話機端末との関連付けを解除し、前記他の情報処理端末と前記電話機端末との関連付けを行うことを特徴とするＣＴＩシステム。
【００３１】
（１８）  ＲＦＩＤリーダを具備する電話機端末と、該電話機端末を制御するサーバ付き主装置と、該サーバ付き主装置との通信手段を有し、ＲＦＩＤタグを具備する情報処理端末とを、備え、
前記電話機端末と前記情報処理端末とを近接させ、前記ＲＦＩＤリーダと前記ＲＦＩＤタグとを近接させることにより、前記電話機端末のＲＦＩＤリーダは、非接触で前記情報処理端末のＲＦＩＤタグのＲＦＩＤ情報を読み取り、
前記電話機端末は、前記ＲＦＩＤリーダが読み取ったＲＦＩＤ情報を、前記サーバ付き主装置に通知し、
前記サーバ付き主装置は、前記ＲＦＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【００３２】
（１９）  上記（１８）に記載のＣＴＩシステムにおいて、
前記サーバ付き主装置は、前記情報処理端末に関連付けられた電話機端末に、前記情報処理端末の所持者への着信呼を転送することを特徴とするＣＴＩシステム。
【００３３】
（２０）  光学的ＩＤリーダを具備する電話機端末と、該電話機端末を制御するサーバ付き主装置と、該サーバ付き主装置との通信手段を有し、光学的ＩＤタグを具備する情報処理端末とを、備え、
前記電話機端末と前記情報処理端末とを近接させ、前記光学的ＩＤリーダと前記光学的ＩＤタグとを近接させることにより、前記電話機端末の光学的ＩＤリーダは、非接触で前記情報処理端末の光学的ＩＤタグの光学的ＩＤ情報を読み取り、
前記電話機端末は、前記光学的ＩＤリーダが読み取った光学的ＩＤ情報を、前記サーバ付き主装置に通知し、
前記サーバ付き主装置は、前記光学的ＩＤ情報により、前記情報処理端末と前記電話機端末を関連付け、
前記サーバ付き主装置は、前記情報処理端末の要求により、関連付けられた電話機端末の呼制御を行うことを特徴とするＣＴＩシステム。
【００３４】
（２１）  上記（１）又は（１１）に記載のＣＴＩシステムにおいて、
前記情報処理端末は、前記関連付けられた電話機端末の表示器に、指定した情報を表示させることを特徴とするＣＴＩシステム。
【発明の効果】
【００３５】
本発明によれば、情報処理端末と電話機端末との関連付けを動的に行うことが可能となる。
【００３６】
更に、本発明によれば、情報処理端末を持ち歩いて、その情報処理端末を外出先の電話機端末に関連付けを行うことが可能となる。
【００３７】
また、本発明によれば、動的な関連付けにより、自分宛の電話を外出先の電話に転送することが可能となる。
【００３８】
更にまた、本発明によれば、情報処理端末と電話機端末との関連付けを、情報処理端末と電話機端末とを近接させることにより、非接触で行うことができ、情報処理端末と電話機端末との関連付けを行うのに、主装置の直接操作及び情報処理端末の操作等の煩雑な操作が不要となる。
【発明を実施するための最良の形態】
【００３９】
次に本発明の実施例について図面を参照して説明する。
【００４０】
図１を参照すると、本発明の第１の実施例によるＣＴＩシステムは、図８のＣＴＩシステムと同様に、電話回線（外線）１０に接続された主装置（交換機）１１と、この主装置１１に接続された第１及び第２の電話機端末（ＴＥＬ１及びＴＥＬ２）１２−１及び１２−２と、主装置１１に接続されたＣＴＩサーバ（コンピュータ）１３と、このＣＴＩサーバ１３に接続されたＬＡＮ１４とを有する。
【００４１】
なお、本発明においては、主装置１１とそれに接続されたＣＴＩサーバ１３との組合せは、サーバ付き主装置と称される。
【００４２】
図１のＣＴＩシステムは、更に、第１の情報処理端末（クライアント１）１６−１として、可搬可能なＰＤＡ(Personal Digital Assistant)を有すると共に、そのＰＤＡのＬＡＮ１４への無線接続を可能とするべく、ＬＡＮ１４に接続されたＷＡＰ(Wireless Application)ゲートウェイ１７を有する。
【００４３】
なお、図１は、クライアント１（ＰＤＡ）１６−１の所持者に割り当てられている電話機端末は第１の電話機端末（ＴＥＬ１）１２−１であるが、そのクライアント１（ＰＤＡ）１６−１の所持者がそのクライアント１（ＰＤＡ）１６−１を持って電話機端末１２−１から遠く離れて第２の電話機端末１２−２の近傍に移動した場合を示している。
【００４４】
上述のように、クライアント１（ＰＤＡ）１６−１の所持者に割り当てられている電話機端末は第１の電話機端末（ＴＥＬ１）１２−１であるので、ＣＴＩサーバ１３内の関連付けテーブル１３１内の設定情報テーブル１３１ａには、予めホストネームによって表されたクライアント１（ＰＤＡ）１６−１が電話機端末（ＴＥＬ１）１２−１の電話番号１に関連付けされている。即ち、設定情報テーブル１３１ａには、予め、クライアント１（ＰＤＡ）１６−１のＩＤデータとしてのホストネームと電話機端末（ＴＥＬ１）１２−１のＩＤデータとしての電話番号とが関連付けされて設定情報として登録されている。
【００４５】
ここで、第２の電話機端末１２−２には、ＲＦＩＤ(Radio Frequency Identification)が２（＝電話番号）であることを表すＲＦＩＤタグ１８−２が付与されている。
【００４６】
図２を参照して、クライアント１６−１はＲＦＩＤリーダライタ（ＲＦＩＤ  ＲＷ）１９−１を有している。
【００４７】
図２において、（１）に示すように、クライアント１６−１の所持者は、クライアント１６−１のＲＦＩＤリーダライタ１９−１を電話機端末１２−２のＲＦＩＤタグ１８−２にかざす。これにより、（２）に示すように、電話機端末１２−２のＲＦＩＤタグ１８−２のＲＦＩＤ（２＝電話番号）をクライアント１６−１のリーダライタ１９−１が読み取る。続いて、クライアント１６−１のリーダライタ１９−１は、（３）に示すように、ＷＡＰゲートウェイ１７及びＬＡＮ１４を介して、ＣＴＩサーバ１３（図１）に、ホストネームとしてのクライアント１でログイン（Log in）するとともに電話番号「２」を通知する。
【００４８】
図１に戻って、ＣＴＩサーバ１３は、関連付けテーブル１３１内に、変更情報テーブル１３１ｂを有している。そして、ＣＴＩサーバ１３は、関連付けテーブル１３１内の変更情報テーブル１３１ｂに、ホストネームとしてのクライアント１と、電話機端末１２−２の電話番号としての「２」とを関連付けて変更情報として保存する。
【００４９】
なお、図１において、ＣＴＩサーバ１３内の関連付けテーブル１３１内の設定情報テーブル１３１へのクライアント１（ＰＤＡ）１６−１のホストネームと電話機端末（ＴＥＬ１）１２−１の電話番号との設定情報の登録も、関連付けテーブル１３１内の変更情報テーブル１３１ｂへのホストネームとしてのクライアント１と電話機端末１２−２の電話番号としての「２」との変更情報の登録と同様に行うこともできる。この場合の登録は、第１の電話機端末１２−１には、ＲＦＩＤが１（＝電話番号）であることを表すＲＦＩＤタグを付与しておき、クライアント１６−１の所持者は、クライアント１６−１のＲＦＩＤリーダライタを電話機端末１２−１のＲＦＩＤタグにかざすことにより、行われる。
【００５０】
なお、第２の電話機端末１２−２のＲＦＩＤタグ１８−２にＲＦＩＤ＝「２」（＝電話番号）を予め書き込む際には、ＲＦＩＤリーダライタ（ＲＦＩＤ  ＲＷ）を有する情報処理端末のどれかを用いる。その情報処理装置のＲＦＩＤリーダライタは、主装置１１から得た電話機端末１２−２に関わる情報ＲＦＩＤ＝「２」（＝電話番号）をＲＦＩＤタグ１８−２に書き込む。この場合、ＲＦＩＤとしては、電話機端末１２−２の電話番号に限らず、電話機端末１２−２に関わる他の情報であれば良い。
【００５１】
また、図２において、ＲＦＩＤが２（＝電話番号）を表しているＲＦＩＤタグ１８−２の代わりに、バーコードＩＤが２（＝電話番号）を表しているバーコードＩＤタグを用い、該バーコードＩＤタグを第２の電話機端末１２−２に付与しても良い。この場合、クライアント１６−１には、ＲＦＩＤリーダライタ１９−１の代りに、光学的にバーコードＩＤを読み取るバーコードＩＤリーダが設けられる。また、バーコードＩＤ以外の光学的ＩＤ（例えば、２次元コードのＩＤ）を有する光学的ＩＤタグと、該光学的ＩＤを読み取る光学的ＩＤリーダの組合せを用いても良い。即ち、第２の電話機端末１２−２に付与したＩＤタグのＩＤをクライアント１６−１のＩＤリーダで読み取る構成であれば良い。
【００５２】
次に、図３を参照して、上述した第１の実施例によるＣＴＩシステムの変形例を説明する。図３に示すように、この変形例においては、クライアント１６−１に、ＲＦＩＤとして、クライアント１６−１のＭＡＣ(Media Access Control)アドレスを有するＲＦＩＤタグ１８−１が付与されている。そして、電話機端末１２−２がＲＦＩＤリーダライタ１９−２を有している。
【００５３】
図３において、（１）に示すように、クライアント１６−１の所持者は、クライアント１６−１のＲＦＩＤタグ１８−１を電話機端末１２−２のＲＦＩＤリーダライタ１９−２にかざす。これにより、（２）に示すように、クライアント１６−１のＲＦＩＤタグ１８−１のＲＦＩＤ（クライアント１６−１のＭＡＣアドレス）を電話機端末１２−２のリーダライタ１９−２が読み取る。続いて、電話機端末１２−２は、（３）に示すように、主装置１１（図１）に制御チャンネルを通して、読み取ったＲＦＩＤ（クライアント１６−１のＭＡＣアドレス）を通知する。
【００５４】
この場合、図１において、主装置１１は、ＣＴＩサーバ１３の関連付けテーブル１３−１内の変更情報テーブル１３１ｂに、電話機端末１２−２から通知されたクライアント１６−１のＭＡＣアドレスを、通知してきた電話機端末１２−２の電話番号の「２」に、関連付けて、変更情報として保存する。
【００５５】
なお、ＣＴＩサーバ１３内の関連付けテーブル１３１内の設定情報テーブル１３１ａへの設定情報の登録も、上記変形例における関連付けテーブル１３１内の変更情報テーブル１３１ｂへの変更情報の登録と同様に行うこともできる。この場合の登録は、電話機端末１２−１にもＲＦＩＤリーダライタを設けておき、クライアント１６−１の所持者は、クライアント１６−１のＲＦＩＤタグ１８−１を電話機端末１２−１のＲＦＩＤリーダライタにかざすことにより、行われる。
【００５６】
なお、クライアント（情報処理端末）１６−１のＲＦＩＤタグ１８−１にＲＦＩＤ（クライアント１６−１のＭＡＣアドレス）を、予め、書き込む際には、ＲＦＩＤリーダライタ（ＲＦＩＤ  ＲＷ）を有する電話機端末のどれかを用いる。その電話機端末のＲＦＩＤリーダライタは、主装置１１から得たクライアント１６−１に関わる情報ＲＦＩＤ（クライアント１６−１のＭＡＣアドレス）をＲＦＩＤタグ１８−１に書き込む。この場合、ＲＦＩＤとしては、クライアント１６−１のＭＡＣアドレスに限らず、クライアント１６−１に関わる他の情報であれば良い。
【００５７】
また、図３において、ＲＦＩＤがクライアント１６−１のＭＡＣアドレスを表しているＲＦＩＤタグ１８−１の代わりに、バーコードＩＤがクライアント１６−１のＭＡＣアドレスを表しているバーコードＩＤタグを用い、該バーコードＩＤタグをクライアント１６−１に付与しても良い。この場合、電話機端末１２−２には、ＲＦＩＤリーダライタ１９−２の代りに、光学的にバーコードＩＤを読み取るバーコードＩＤリーダが設けられる。また、バーコードＩＤ以外の（例えば、２次元コードのＩＤ）を有する光学的ＩＤタグと、該光学的ＩＤを読み取る光学的ＩＤリーダの組合せを用いても良い。即ち、クライアント１６−１に付与したＩＤタグのＩＤを電話機端末１２−２のＩＤリーダで読み取る構成であれば良い。
【００５８】
上記第１の実施例（図２）においても、上記変形例（図３）においても、図１に示したように関連付けテーブル１３１の変更情報テーブル１３１ｂに変更情報を格納し関連付けを行うことにより、主装置１１は、情報処理端末としてのクライアント１６−１の要求（発信、応答、切断等の要求）により、関連付けられた電話機端末１２−２（電話番号の「２」）の制御（発信、応答、切断等の呼制御）を行うことが可能である。
【００５９】
即ち、情報処理端末１６−１は、関連付けられた電話機端末１２−２の発信、応答、切断等の呼制御が可能となる。つまり、情報処理端末１６−１は、移動先の電話機端末１２−２を呼制御することが可能となる。
【００６０】
また、情報処理端末１６−１は、電話機端末１２−２の表示器に、指定した情報を表示させることが可能となる。
【００６１】
次に、図４を参照して、上記第１の実施例によるＣＴＩシステムにおける着信転送動作を説明する。図４において、クライアント１（ＰＤＡ）１６−１の所持者が、そのクライアント１（ＰＤＡ）１６−１を持って、自分割り当ての電話機端末１２−１から離れて第２の電話機端末１２−２の近傍に移動しており、そのクライアント１（ＰＤＡ）１６−１の関連付けの変更情報がＣＴＩサーバ１３内の変更情報テーブル１３１ｂ（図１）に格納されているものとする。
【００６２】
即ち、ＣＴＩサーバ１３は、図１に示したような設定情報及び変更情報を格納した設定情報テーブル１３１ａ及び変更情報テーブル１３１ｂを、関連付けテーブル１３１内に有しているものとする。
【００６３】
図４を、図１と共に参照して、この場合、主装置１１は、クライアント１６−１の所持者に割り当てられた電話機端末１２−１への着信があると、ＣＴＩサーバ１３内の関連付けテーブル１３１を参照する。
【００６４】
主装置１１は、関連付けテーブル１３１内の設定情報テーブル１３１ａ及び変更情報１３１ｂにより、クライアント１６−１の関連付けが電話機端末１２−１から電話機端末１２−２に変更されていることがわかるので、クライアント１６−１への着信を電話機端末１２−１に送らずに、電話機端末１２−２に送る。これにより、クライアント１６−１の所持者は電話機端末１２−２の近傍にいるので、クライアント（ＰＤＡ）１６−１の所持者はその着信に応答することができる。
【００６５】
図１及び図４において、クライアント１（ＰＤＡ）１６−１の所持者が、そのクライアント１（ＰＤＡ）１６−１を持って、第２の電話機端末１２−２からも離れて、電話番号が「３」である第３の電話機端末（図示せず）の近傍に移動して、クライアント１（ＰＤＡ）１６−１の所持者が、クライアント１（ＰＤＡ）１６−１の関連付けを電話番号「３」に変更する動作を、上述したクライアント１（ＰＤＡ）１６−１の関連付けを電話番号「２」に変更する動作と同様にして行ったとする。この場合には、ホストネームとしてのクライアント１と、第３の電話機端末の電話番号としての「３」とを関連付ける変更情報を、ＣＴＩサーバ１３内の変更情報テーブル１３１ｂに上書きしておけば良い。この変更情報テーブル１３１ｂにより、主装置１１は、クライアント１６−１が電話番号「３」の電話機端末に関連付けられていることがわかるので、クライアント１６−１への着信を電話機端末１２−１に送らずに、電話番号「３」の電話機端末に送ることができる。
【００６６】
ここで、図１を参照して、関連付けの解除の仕方について説明する。
【００６７】
第１の解除の仕方：  主装置１１は、予め定められた時間経過時に情報処理端末１６−１に対し、関連付け解除の許可を求める。情報処理端末１６−１からの許可通知により、関連付けを解除する。具体的には、主装置１１は、関連付けテーブル１３１内の変更情報テーブル１３１ｂ内の変更情報を消去し、関連付けの解除を行う。
【００６８】
第２の解除の仕方：  情報処理端末１６−１と電話機端末１２−２とを、再度、近接させることにより、主装置１１は、情報処理端末１６−１と電話機端末１２−２との関連付けを解除する。具体的には、主装置１１は、関連付けテーブル１３１内の変更情報テーブル１３１ｂ内の変更情報を消去し、関連付けの解除を行う。
【００６９】
第３の解除の仕方：  他の情報処理端末を電話機端末１２−２に近接させることにより、主装置１１は、情報処理端末１６−１の電話機端末１２−２への関連付けを解除する。具体的には、主装置１１は、関連付けテーブル１３１内の変更情報テーブル１３１ｂ内の変更情報を消去し、関連付けの解除を行う。そして、主装置１１は、新たに、他の情報処理端末の電話機端末１２−２への関連付けを行う。この際、前記他の情報処理端末のための別の関連付けテーブル内の変更情報テーブルに、他の情報処理端末の電話機端末１２−２への関連付けを行うための変更情報を格納する。
【００７０】
次に、図５を参照して、本発明の第２の実施例によるＣＴＩシステム及び第２の実施例によるＣＴＩシステムにおける着信転送動作を説明する。
【００７１】
図５において、第２の実施例によるＣＴＩシステムは、図１及び図４に示した第１の実施例と同様の参照符号で示された同様の部分を含む。第２の実施例によるＣＴＩシステムは、更に、主装置１１に専用線で結ばれた主装置２１と、主装置１１に専用線で結ばれた主装置３１とを、含む。主装置２１及び主装置３１間も、専用線で結ばれている。即ち、互いに専用線で結ばれた３つの主装置１１、２１、及び３１で大規模の主装置組み立てが構成されている。主装置１１、２１、及び３１は、電話回線（外線）１０にそれぞれ接続されている。
【００７２】
主装置２１には、ＣＴＩサーバ２３が接続され、ＣＴＩサーバ２３にはＷＡＰゲートウェイ２７が接続されている。同様に、主装置３１には、別のＣＴＩサーバが接続され、該別のＣＴＩサーバには別のＷＡＰゲートウェイが接続されている。
【００７３】
このＣＴＩシステムにおいて、クライアント１（ＰＤＡ）１６−１の所持者が、そのクライアント１（ＰＤＡ）１６−１を持って、自分割り当ての電話機端末（電話番号「１」）１２−１から離れて第２の電話機端末１２−２（電話番号「２」）の近傍に移動している。そのクライアント１（ＰＤＡ）１６−１が電話機端末１２−２のＲＦＩＤタグから読み取った電話機端末１２−２の電話番号「２」とそのクライアント１（ＰＤＡ）１６−１のホストネームとしてのクライアント１とを含む関連付けの変更情報は、ＣＴＩサーバ１３内の変更情報テーブルに、ＷＡＰゲートウェイ２７、ＣＴＩサーバ２３、主装置２１、及び主装置１１を介して、格納されている。
【００７４】
より詳細には、図５のＣＴＩサーバ１３も、図１に示したような、設定情報を格納した設定情報テーブル１３１ａ及び変更情報を格納した変更情報テーブル１３１ｂを、関連付けテーブル１３１内に有している。
【００７５】
図５と、図１の関連付けテーブル１３１とを参照して、主装置１１は、クライアント１６−１の所持者に割り当てられた電話機端末１２−１への着信があると、ＣＴＩサーバ１３内の関連付けテーブル１３１を参照する。
【００７６】
主装置１１は、関連付けテーブル１３１内の設定情報テーブル１３１ａ及び変更情報１３１ｂにより、クライアント１６−１の関連付けが電話機端末１２−１から電話機端末１２−２に変更されていることがわかるので、クライアント１６−１への着信を電話機端末１２−１に送らずに、主装置２１を介して、電話機端末１２−２に送る。これにより、クライアント１６−１の所持者は電話機端末１２−２の近傍にいるので、クライアント（ＰＤＡ）１６−１の所持者はその着信に応答することができる。
【００７７】
図６を参照すると、本発明の第３の実施例によるＣＴＩシステムは、電話機端末１２−１及び１２−２がＬＡＮ１４に接続されたＩＰ(Internet Protocol)電話であることを除けば、図１のＣＴＩシステムと同様である。すなわち、本ＣＴＩシステムにおいても、図１のＣＴＩシステムと同様に、電話機端末１２−２とクライアント（ＰＤＡ）１６−１との関連付けが行われ、ＣＴＩサーバ１３内にも、図１における設定情報テーブル１３１内の設定情報及び変更情報テーブル１３１ｂ内の変更情報が格納される。
【００７８】
図７を参照すると、本発明の第４の実施例によるＣＴＩシステムは、電話機端末１２−１及び１２−２として、ＷＡＰゲートウェイ１７を介してＬＡＮ１４に接続された無線ＬＡＮ端末を有し、情報処理端末（クライアント１）１６−１として、ＬＡＮ１４に接続されたパーソナルコンピュータ（ＰＣ）を有している。このＣＴＩシステムにおいても、図１のＣＴＩシステムと同様に、電話番号「２」の電話機端末（無線ＬＡＮ端末）１２−２とクライアント１（ＰＣ）１６−１との関連付けが行われ、ＣＴＩサーバ１３内には、図１における設定情報テーブル１３１内の設定情報及び変更情報テーブル１３１ｂ内の変更情報が格納される。
【００７９】
この実施例によっても、ＣＴＩサーバ１３内に変更情報を格納し関連付けを行うことにより、主装置１１は、情報処理端末としてのクライアント１６−１の要求（発信、応答、切断等の要求）により、関連付けられた電話機端末１２−２の制御（発信、応答、切断等の呼制御）を行うことが可能である。
【００８０】
即ち、情報処理端末１６−１は、関連付けられた電話機端末１２−２の発信、応答、切断等の呼制御が可能となる。
【００８１】
更に、電話機端末１２−２は、情報処理端末１６−１を別の電話機端末を呼制御する手段として利用することが可能となる。
【図面の簡単な説明】
【００８２】
【図１】本発明の第１の実施例によるＣＴＩシステムを示した図である。
【図２】上記第１の実施例によるＣＴＩシステムの動作の説明に使用する図である。
【図３】上記第１の実施例によるＣＴＩシステムの変形例の動作に使用する図である。
【図４】上記第１の実施例によるＣＴＩシステムにおける着信転送動作の説明に使用する図である。
【図５】本発明の第２の実施例によるＣＴＩシステムを示した図である。
【図６】本発明の第３の実施例によるＣＴＩシステムを示した図である。
【図７】本発明の第４の実施例によるＣＴＩシステムを示した図である。
【図８】本発明が基としたＣＴＩシステムのブロック図である。
【符号の説明】
【００８３】
１０    電話回線
１１    主装置
１２−１    第１の電話機端末（ＴＥＬ１）
１２−２    第２の電話機端末（ＴＥＬ２）
１３    ＣＴＩサーバ
１３１    関連付けテーブル
１３１ａ    設定情報テーブル
１３１ｂ    変更情報テーブル
１４    ＬＡＮ
１６−１    第１の情報処理端末（クライアント１）
１７    ＷＡＰゲートウェイ
１８−１    ＲＦＩＤタグ
１８−２    ＲＦＩＤタグ
１９−１    ＲＦＩＤリーダライタ
１９−２    ＲＦＩＤリーダライタ
２１    主装置
３１    主装置
２３    ＣＴＩサーバ２３
２７    ＷＡＰゲートウェイ
【図１】
2005268954.tif 000003
【図２】
2005268954.tif 000004
【図３】
2005268954.tif 000005
【図４】
2005268954.tif 000006
【図５】
2005268954.tif 000007
【図６】
2005268954.tif 000008
【図７】
2005268954.tif 000009
【図８】
2005268954.tif 000010